(57)【要約】【課題】耳に対するケースの浮き上がりを防止し装着感を向上する上で有利なヘッドホンを提供する。【解決手段】ヘッドホン１０は、ケース１２と、スピーカーユニット１４と、耳当て部１６と、耳掛けアーム１８と、弾性部材２０とを備えている。耳掛けアーム１８が耳２２に掛けられた状態で、耳掛けアーム１８と耳当て部１６との間で耳２２の部分を挟み込むことにより、耳当て部１６が耳孔部分に当て付けられる。弾性部材２０は弾性変形可能な材料により軸状あるいは管状に形成されている。耳掛けアーム１８が耳に掛けられた状態で、弾性部材２０は、耳２２と頭部２４との間に位置し、かつ、頭部２４に当接して弾性変形することにより、耳掛けアーム１８を介して耳当て部１６を耳孔部分に近接させる方向に付勢する。【選択図】        図３
2004364210.tif 000002
【特許請求の範囲】
【請求項１】
ケースと、
前記ケースに設けられた耳当て部と、
前記ケースまたは耳当て部に収容されたスピーカーユニットと、
前記ケースに設けられた耳掛けアームとを備え、
前記耳掛けアームが耳に掛けられた状態で、前記耳掛けアームと耳当て部との間で耳の部分を挟み込むことにより、前記耳当て部が耳孔部分に当て付けられるように構成されたヘッドホンにおいて、
前記耳掛けアームに弾性変形可能な弾性部材が設けられ、
前記弾性部材は、前記耳掛けアームが耳に掛けられた状態で頭部に当接して弾性変形することにより、前記耳掛けアームを介して前記耳当て部を前記耳孔部分に近接させる方向に付勢するように構成されている、
ことを特徴とするヘッドホン。
【請求項２】
前記ケースは、前記スピーカーユニットに音声信号を供給するオーディオ装置が内蔵されている、
ことを特徴とする請求項１記載のヘッドホン。
【請求項３】
前記弾性部材は、軸状あるいは管状に形成され、該弾性部材の一端が前記耳掛けアームの長手方向の一端寄り箇所に取着され、弾性部材の他端が前記耳掛けアームの長手方向の他端寄り箇所に取着され、中間部分が、前記弾性部材の一端と他端が取着された耳掛けアーム部分から離れる方向に凸状の湾曲した形状となっていることを特徴とする請求項１記載のヘッドホン。
【請求項４】
前記耳掛けアームの一端寄り箇所および他端寄り箇所には前記弾性部材の一端と他端が着脱可能に取付けることができるように構成されていることを特徴とする請求項３記載のヘッドホン。
【請求項５】
前記弾性部材は板状に形成され、該弾性部材の縁部の一部が耳掛けアームに取着され、前記弾性部材の縁部の他の部分が前記耳掛けアームとの取着部分から離れる方向に張り出した形状となっていることを特徴とする請求項１記載のヘッドホン。
【請求項６】
前記弾性部材はエラストマーによって構成されていることを特徴とする請求項１記載のヘッドホン。
【請求項７】
前記弾性部材は、前記耳掛けアームとともに一体成形されていることを特徴とする請求項１記載のヘッドホン。
【発明の詳細な説明】
【０００１】
【発明の属する技術分野】
本発明は耳掛けタイプのヘッドホンに関するものである。
【０００２】
【従来の技術】
スピーカーユニットを収容したケースと、該ケースに設けられた耳掛けアームとを備えた、いわゆる耳掛け装着方式のヘッドホンが提供されている（例えば、特許文献１）。
このようなヘッドホンでは、耳掛けアームが耳に掛けられた状態で、耳掛けアームの部分とケースの部分との間で耳の部分を挟み込むことによりヘッドホンを装着するようになっている。
【０００３】
【特許文献１】
特開２００１−１１２０８１号公報
【０００４】
【発明が解決しようとする課題】
しかしながら、上述のようなヘッドホンでは次のような問題があった。
ヘッドホンを装着した状態で走ったり、あるいは、頭部を動かしたりしたときにケースが動いて耳から浮き上がり装着感が損なわれてしまう。
ケース内にスピーカーユニットに加えてラジオやオーディオ機器を収容すると、ケース部分の重量が増すことによりケースが耳から浮き上がり気味になり装着感が損なわれてしまう。
ケースの浮き上がりを防止するために、耳掛けアームとケースによって耳を挟持する力を強く設定することもできるが、この場合には耳が痛くなるという問題が生じてしまう。
本発明は、このような事情に鑑みてなされ、その目的とするところは、耳に対するケースの浮き上がりを防止し装着感を向上する上で有利なヘッドホンを提供することにある。
【０００５】
【課題を解決するための手段】
本発明は前記目的を達成するために、ケースと、前記ケースに設けられた耳当て部と、前記ケースまたは耳当て部に収容されたスピーカーユニットと、前記ケースに設けられた耳掛けアームとを備え、前記耳掛けアームが耳に掛けられた状態で、前記耳掛けアームと耳当て部との間で耳の部分を挟み込むことにより、前記耳当て部が耳孔部分に当て付けられるように構成されたヘッドホンにおいて、前記耳掛けアームに弾性変形可能な弾性部材が設けられ、前記弾性部材は、前記耳掛けアームが耳に掛けられた状態で頭部に当接して弾性変形することにより、前記耳掛けアームを介して前記耳当て部を前記耳孔部分に近接させる方向に付勢するように構成されていることを特徴とする。
また、本発明は、ケースと、前記ケースに設けられた耳当て部と、前記ケースまたは耳当て部に収容されたスピーカーユニットと、前記ケースに設けられた耳掛けアームと、前記ケースに内蔵され前記スピーカーユニットに音声信号を供給するオーディオ装置とを備え、前記耳掛けアームが耳に掛けられた状態で、前記耳掛けアームと耳当て部との間で耳の部分を挟み込むことにより、前記耳当て部が耳孔部分に当て付けられるように構成されたヘッドホンにおいて、前記耳掛けアームに弾性変形可能な弾性部材が設けられ、前記弾性部材は、前記耳掛けアームが耳に掛けられた状態で頭部に当接して弾性変形することにより、前記耳掛けアームを介して前記耳当て部を前記耳孔部分に近接させる方向に付勢するように構成されていることを特徴とする。
そのため、耳掛けアームが耳に掛けられた状態で、後方および真上から見ると、弾性部材は、耳と頭部との間に位置し、かつ、頭部に当接して弾性変形することにより、耳掛けアームを介して耳当て部を耳孔部分に近接させる方向に付勢する。
【０００６】
【発明の実施の形態】
次に、本発明の実施の形態について図面を参照して説明する。
図１（Ａ）は本発明の第１の実施の形態のヘッドホンを外側斜め後方から見た斜視図、（Ｂ）はヘッドホンを内側斜め後方から見た斜視図、図２（Ａ）は耳掛けアームの回転範囲を示す図、（Ｂ）は（Ａ）の矢視Ａ図、図３は左耳に装着されたヘッドホンを後方から見た図、図４は図３の矢視Ａ図、図５は図４の矢視Ｂ図である。
【０００７】
図１（Ａ）、（Ｂ）に示すように、ヘッドホン１０は、ケース１２と、スピーカーユニット１４と、耳当て部１６と、耳掛けアーム１８と、弾性部材２０とを備えている。
ケース１２は、底壁１２０２と、底壁１２０２の周囲から起立された側壁１２０４とを有し、底壁１２０２と側壁１２０４によって収容空間が形成され、側壁１２０４の内側に開口１２０６が形成されている。
スピーカーユニット１４は、不図示のオーディオ装置、例えばラジオやＭＤプレーヤー、ＣＤプレーヤーなどからコード１５を介して入力される音声信号に基づいて音声を出力する放音部を有し、該放音部がケース１２の一面、すなわち開口１２０６に臨むように前記収容空間に収容されケース１２に取着されている。
耳当て部１６は、開口１２０６を閉塞するとともに、前記放音部から出力された音声を良好に通過させるために多数の孔が形成された部材で構成されている。耳当て部１６は、例えば、開口１２０６を閉塞する孔開きプレートと、このプレートを覆う例えばスポンジなどの軟質材料（イヤーパッド）で構成されている。
【０００８】
耳掛けアーム１８は、耳（耳介）の裏側に装着される形状に構成されており、例えば合成樹脂成形品で構成されている。耳掛けアーム１８は、その基端がケース１２の上部に設けられた回転部１９に取着され、先端が丸みを帯びた保護端部１８０２として形成され、該保護端部１８０２は自由端となっている。
回転部１９は、図２（Ａ）、（Ｂ）に示すように、ケース１２の底壁１２０２の中心を通る法線Ｏに対して所定角度傾斜した軸線Ｘ回りに耳掛けアーム１８と一体的に回転するように構成されている。すなわち、回転部１９は、耳掛けアーム１８が耳当て部１６の直近に位置した基準位置Ｐ１から耳掛けアーム１８が耳当て部１６から離間する方向に所定の角度回転した最大回転位置Ｐ２までの範囲で回動可能に設けられている。
また、回転部１９は、該回転部１９に挿入された不図示のばねにより、基準位置Ｐ１に位置するように付勢されている。
そして、図３乃至図５に示すように、耳掛けアーム１８が耳２２に掛けられた状態で、前記回転部１９の不図示のばねの付勢力により耳掛けアーム１８と耳当て部１６との間で耳２２の部分を挟み込むことにより、耳当て部１６が耳孔部分に当て付けられるように構成されている。
【０００９】
弾性部材２０は、図３乃至図５に示すように、例えばエラストマーなどの弾性変形可能な材料により軸状あるいは管状に形成され、その長手方向の一端２００２が耳掛けアーム１８の回転部１９寄りの箇所に取着され、長手方向の他端２００４が耳掛けアーム１８の保護端部１８０２寄りの箇所に取着され、中間部分２００６が、一端２００２と他端２００４が取着された耳掛けアーム１８部分から離れる方向に凸状の湾曲した形状（取着部分から離れる方向に張り出した形状）となっている。なお、弾性部材２０の材料は、エラストマーに限定されるものでなくエラストマーと同様に弾性変形可能な材料を用いることができることは勿論である。
図３、図４に示すように、耳掛けアーム１８が耳２２に掛けられた状態で、後方および真上から見ると、弾性部材２０は、耳輪２２０２と頭部２４との間に位置し、かつ、頭部２４に当接して弾性変形することにより、耳掛けアーム１８を介して耳当て部１６を耳孔部分に近接させる方向に付勢するように構成されている。
図５に示すように、耳掛けアーム１８が耳２２に掛けられた状態で、側方から見ると、保護端部１８０２は耳たぶ２２０４の裏に位置し、弾性部材２０は、一端２００２と他端２００４部分が耳輪２２０２の裏に位置し、中間部分２００６が耳輪２２０２の外側に露出し、中間部分２００６の先端が頭部２４に当接して弾性変形することにより、耳掛けアーム１８を介して耳当て部１６を耳孔部分に近接させる方向に付勢するように構成されている。
また、中間部分２００６の先端が頭部２４に当接して弾性変形することにより、耳掛けアーム１８を介して耳当て部１６を耳孔部分に近接させる方向に付勢するためには、図３、図５に示すように、耳掛けアーム１８の中間部分と弾性部材２０の中間部分２００６（凸状に湾曲した部分の先端部分）との距離ｄは、弾性変形する前において１０ｍｍ乃至２０ｍｍ程度であることが望ましい。むろん材料次第によっては距離ｄが２０ｍｍ以上あってもかまわない。
【００１０】
また、弾性部材２０がエラストマーで構成され、耳掛けアーム１８が合成樹脂によって構成されている場合には、弾性部材２０の耳掛けアーム１８への取付は、次のようにして行なうことができる。
まず、耳掛けアーム１８の部分を型成形などによって製作しておき、次いで弾性部材２０を成形するための金型に耳掛けアーム１８を入れ、弾性部材２０の部分を成形するとともに、該弾性部材２０の両端が耳掛けアーム１８の部分と一体化されるように型成形を行なう。
【００１１】
次に、このように構成されたヘッドホン１０の使用方法について説明する。
ヘッドホン１０を耳２２に装着する際には、図２（Ａ）に示すように、耳掛けアーム１８を指で把持して回転部１９のばねの付勢力に抗して最大回転位置Ｐ２まで回転させ、耳当て部１６と耳掛けアーム１８との間に広い隙間を形成し、該隙間に耳２２を入れながら耳当て部１６を耳孔部分に当て、次いで耳掛けアーム１８から指を外す。すると、耳掛けアーム１８は、回転部１９のばねの付勢力により基準位置Ｐ１方向に回転され、前記ばねの付勢力により耳掛けアーム１８と耳当て部１６との間で耳２２の部分（耳介の外側と裏側のあたり）が挟み込まれ耳当て部１６が耳孔部分に当て付けられる。
耳掛けアーム１８が耳２２に掛けられた状態で、弾性部材２０は、耳２２と頭部２４との間に位置し、かつ、頭部２４に当接して弾性変形され、これにより、耳掛けアーム１８を介して耳当て部１６が耳孔部分に近接させる方向に付勢される。また、弾性部材２０は、その弾性により適度な形状追従性を有しているので、頭部２４に当接している部分はその頭部２４の形状に対応した形状となる。
ヘッドホン１０を耳２２から取り外す際には、図２（Ａ）に示すように、耳２２に装着された状態の耳掛けアーム１８を指で把持して回転部１９のばねの付勢力に抗して最大回転位置Ｐ２まで回転させ、耳当て部１６と耳掛けアーム１８との間に広い隙間を形成し、耳２２から耳当て部１６と耳掛けアーム１８を外し、ヘッドホン１０を取り外す。
【００１２】
以上説明したように本実施の形態のヘッドホンによれば、耳掛けアーム１８を耳２２に掛けた状態で、弾性部材２０が頭部２４に当接して弾性変形することにより、耳掛けアーム１８を介して耳当て部１６を耳孔部分に近接させる方向に付勢するので、耳２２に対するケース１２の浮き上がりを防止し装着感を向上する上で有利となる。
また、ヘッドホン１０を装着した状態で走ったり、あるいは、頭部を動かしたりすることにより、ケース１２が耳２２から浮き上がる方向に動こうとしても、弾性部材２０の弾性変形によりケース１２を耳孔部分に近接させる方向に付勢力が働くため、ユーザーが頭部や体を動かしている場合でも、耳２２に対するケース１２の浮き上がりを防止でき装着感を阻害することなく、かかる装着感を向上させた状態に維持する上で有利となる。
また、弾性部材２０の頭部２４に当接している部分が頭部２４の形状に対応した形状となることから装着感を高める上で有利となる。
また、弾性部材２０は軟らかいため頭部２４に当接しても痛みを感じることがなく、長時間ヘッドホン１０を装着しても支障が生じることがない。
また、弾性部材２０は、軸状あるいは管状に形成されているため、頭部２４に当たる面積が少なくて済み、ヘッドホン１０を長時間装着しても頭部２４に蒸れが生じることがないという利点がある。
【００１３】
なお、弾性部材２０と耳掛けアーム１８は一体化して成形する他、弾性部材２０と耳掛けアーム１８を別体として成形しておき、次いで、弾性部材２０を耳掛けアーム１８に着脱可能に取付けるようにしてもよい。
具体的には、耳掛けアーム１８の長手方向の一端寄り箇所と他端寄り箇所との２箇所に、弾性部材２０の一端２００２および他端２００４が着脱可能に取付けられる取付孔をそれぞれ形成しておく。そして、弾性部材２０の一端２００２および他端２００４を前記取付孔にそれぞれ取付けることで弾性部材２０を耳掛けアーム１８に取着する。
この場合、弾性部材２０の一端２００２および他端２００４が前記各取付孔に取付けられることにより、弾性部材２０の中間部分２００６が、一端２００２と他端２００４が取着された耳掛けアーム１８部分から離れる方向に凸状の湾曲した形状となり、かつ、耳掛けアーム１８が耳２２に掛けられた状態で、弾性部材２０が耳２２と頭部２４との間に位置するように前記各取付孔が設けられていればよい。
また、前記各取付孔に代えて耳掛けアーム１８に取付用のすり割り（スリット）を設け、各すり割りによって弾性部材２０の一端２００２および他端２００４を取付けるように構成してもよい。
このように弾性部材２０を耳掛けアーム１８と別体に構成し、弾性部材２０を耳掛けアーム１８に着脱可能に取付けられる構成とすれば、弾性部材２０を必要に応じて取付けたり取り外すことができる利点がある。
【００１４】
次に第２の実施の形態について説明する。
第２の実施の形態が第１の実施の形態と異なるのは、耳掛けアーム１８に設けられた弾性部材２０Ａの形状がほぼ三角板状である点である。
図６（Ａ）は第２の実施の形態のヘッドホンを外側斜め後方から見た斜視図、（Ｂ）はヘッドホンを内側斜め後方から見た斜視図、図７（Ａ）はヘッドホンを外側斜め上方から見た斜視図、（Ｂ）はヘッドホンを内側斜め前方から見た斜視図、図８（Ａ）はヘッドホンを後方から見た図、（Ｂ）は図８（Ａ）の矢視Ａ図、図９（Ａ）は（Ｂ）は図８（Ｂ）の矢視Ｂ図、図９（Ｂ）は図９（Ａ）の矢視Ｃ図、図１０（Ａ）はヘッドホンを前方から見た図、（Ｂ）は図１０（Ａ）の矢視Ｄ図である。なお、以下では、第１の実施の形態と同一および同様の部分および部材には同一の符号を付してその説明を省略する。
【００１５】
第２の実施の形態のヘッドホン１０Ａにおいて、弾性部材２０Ａは、例えばエラストマーなどの弾性変形可能な材料によりほぼ三角板状に形成され、その１辺２００８（縁部の一部）が耳掛けアーム１８にその延在方向にわたって接続され、他の２辺２０１０、２０１２（縁部の他の部分）は１辺２００８が取着された耳掛けアーム１８部分から離れる方向に凸状に湾曲した形状となっている。すなわち、１辺２００８の一端が耳掛けアーム１８の回転部１９寄りの箇所（長手方向の一端）に取着され、１辺２００８の他端が耳掛けアーム１８の保護端部１８０２寄りの箇所（長手方向の他端）に取着されている。また、弾性部材２０の中央部分には開口２０１４が形成されている。
そして、耳掛けアーム１８が耳２２に掛けられた状態で、後方および真上から見ると、弾性部材２０Ａは、耳輪２２０２と頭部２４との間に位置し、かつ、頭部２４に当接して弾性変形することにより、耳掛けアーム１８を介して耳当て部１６を耳孔部分に近接させる方向に付勢するように構成されている。
また、耳掛けアーム１８が耳２２に掛けられた状態で、側方から見ると、保護端部１８０２は耳たぶ２２０４の裏に位置し、弾性部材２０は、耳輪２２０２の裏に位置し、頭部２４に当接して弾性変形することにより、耳掛けアーム１８を介して耳当て部１６を耳孔部分に近接させる方向に付勢するように構成されている。
第２の実施の形態において、弾性部材２０Ａがエラストマーで構成され、耳掛けアーム１８が合成樹脂によって構成されている場合、弾性部材２０の耳掛けアーム１８への取付は、前述したのと同様に、耳掛けアーム１８の部分を型成形などによって製作しておき、次いで弾性部材２０Ａを形成するための型に耳掛けアーム１８を入れ、弾性部材２０の部分を成形するとともに、該弾性部材２０の一辺２００８が耳掛けアーム１８の中間部分と一体化されるように型成形を行なえばよい。
このような第２の実施の形態のヘッドホン１０Ａにおいても、第１の実施の形態と同様の作用効果を奏する。
また、第２の実施の形態では、弾性部材２０Ａに開口２０１４が形成されているため、頭部２４に当たる面積が少なくて済み、ヘッドホン１０を長時間装着しても頭部２４に蒸れが生じることがないという利点がある。
なお、弾性部材２０Ｃの形状は三角形以外の形状、例えば四角形、多角形、円形、楕円形、あるいは不定形などであってもよいことは勿論である。
【００１６】
次に、第３の実施の形態について説明する。
第３の実施の形態が第１の実施の形態と異なるのは、耳掛けアーム１８に設けられた弾性部材２０Ｂの形状が異なり、２つの凸状部分が設けられている点である。
図１１は第３の実施の形態のヘッドホンを外側斜め後方から見た斜視図である。
第３の実施の形態のヘッドホン１０Ｂにおいて、弾性部材２０Ｂは、例えばエラストマーなどの弾性変形可能な材料により軸状あるは管状に形成され、その一端２００２が耳掛けアーム１８の回転部１９寄り箇所（長手方向の一端）に取着され、他端２００４が耳掛けアーム１８の保護端部１８０２寄り箇所（長手方向の他端）に取着され、これら一端２００２と他端２００４の間の中間部分２００６に、耳掛けアーム１８部分から離れる方向に突出する２つの凸状部分が設けられている。
そして、耳掛けアーム１８が耳２２に掛けられた状態で、後方および真上から見ると、弾性部材２０Ｂは、耳輪２２０２と頭部２４との間に位置し、かつ、頭部２４に当接して弾性変形することにより、耳掛けアーム１８を介して耳当て部１６を耳孔部分に近接させる方向に付勢するように構成されている。
また、耳掛けアーム１８が耳２２に掛けられた状態で、側方から見ると、保護端部１８０２は耳たぶ２２０４の裏に位置し、弾性部材２０Ｂは、一端２００２と他端２００４部分が耳輪２２０２の裏に位置し、中間部分２００６の先端（２つの凸状部分）が頭部２４に当接して弾性変形することにより、耳掛けアーム１８を介して耳当て部１６を耳孔部分に近接させる方向に付勢するように構成されている。
このような第３の実施の形態のヘッドホン１０Ｃにおいても、第１の実施の形態と同様の作用効果を奏する。
また、第３の実施の形態でも、弾性部材２０Ｂは、軸状あるいは管状に形成されているため、頭部２４に当たる面積が少なくて済み、ヘッドホン１０を長時間装着しても頭部２４に蒸れが生じることがないという利点がある。
なお、弾性部材２０Ｂの凸状部分の個数は３つ以上であってもよい。
【００１７】
次に、第４の実施の形態について説明する。
第４の実施の形態が第１の実施の形態と異なるのは、耳掛けアーム１８に設けられた弾性部材２０Ｃの形状が矩形板状である点である。
図１２は第４の実施の形態のヘッドホンを外側斜め後方から見た斜視図である。
第４の実施の形態のヘッドホン１０Ｃにおいて、弾性部材２０Ｃは、例えばエラストマーなどの弾性変形可能な材料により板状に形成されている。本実施の形態では、弾性部材２０Ｃは矩形状に形成され、その１辺（縁部の一部）が耳掛けアーム１８の中間部分から保護端部１８０２寄りの部分にわたって取着されている。
そして、耳掛けアーム１８が耳２２に掛けられた状態で、後方および真上から見ると、弾性部材２０Ｃは、耳輪２２０２と頭部２４との間に位置し、かつ、頭部２４に当接して弾性変形することにより、耳掛けアーム１８を介して耳当て部１６を耳孔部分に近接させる方向に付勢するように構成されている。
このような第４の実施の形態のヘッドホン１０Ｃにおいても、第１の実施の形態と同様の作用効果を奏する。
なお、弾性部材２０Ｃの形状は矩形以外の形状、例えば三角形、多角形、円形、楕円形、あるいは不定形などであってもよいことは勿論である。
【００１８】
次に、第５の実施の形態について説明する。
第５の実施の形態が第１の実施の形態と異なるのは、耳掛けアーム１８に弾性部材に代えて揺動部材を設けた点である。
図１３は第５の実施の形態のヘッドホンを外側斜め後方から見た斜視図である。
第５の実施の形態のヘッドホン１０Ｄは、揺動部材２０Ｄと、不図示のばね部材とを備えている。
より詳細には、ケース１２と、ケース１２に設けられた耳当て部１６と、ケース１２または耳当て部１６に収容されたスピーカーユニット１４と、ケース１２に設けられた耳掛けアーム１８とを備え、耳掛けアーム１８が耳に掛けられた状態で、耳掛けアーム１８と耳当て部１６との間で耳の部分を挟み込むことにより、耳当て部１６が耳孔部分に当て付けられるように構成されたヘッドホンにおいて、耳掛けアーム１８に揺動可能に揺動部材２０Ｄが設けられ、揺動部材２０Ｄは、耳掛けアーム１８が耳に掛けられた状態で頭部に当接して弾性変形することにより、耳掛けアーム１８を介して耳当て部１６を前記耳孔部分に近接させる方向に付勢するように構成されている。
【００１９】
本実施の形態では、揺動部材２０Ｄとして板部２０１６が用いられ、板部２０１６は、例えば合成樹脂材料を成形することによって板状に形成され、本実施の形態では、矩形板状に形成されている。なお、各角部は丸みをもたせて頭部へ突き刺さることを防止するようにしている。
板部２０１６の１辺と耳掛けアーム１８の中間部分から保護端部１８０２寄りの部分との間はヒンジ部２０１８により連結され、これにより板部２０１６は耳掛けアーム１８の中心軸を中心として回転可能となっている。前記ばね部材は、軸受部２０１８に設けられ板部２０１６を所定の位置に付勢するように構成されている。
そして、耳掛けアーム１８が耳２２に掛けられた状態で、揺動部材２０Ｄは、耳輪２２０２と頭部２４との間に位置し、かつ、板部２０１６が頭部２４に当接して前記ばね部材の付勢力に抗して前記所定位置から回転されて該ばね部材が蓄勢されることにより、耳掛けアーム１８を介して耳当て部１６が耳孔部分に近接させる方向に付勢するように構成されている。
このような第５の実施の形態のヘッドホン１０Ｄにおいても、第１の実施の形態と同様の作用効果を奏する。
なお、板部２０１６の形状は矩形以外の形状、例えば三角形、多角形、円形、楕円形あるいは不定形などであってもよいことは勿論である。また、揺動部材２０Ｄは板部に限定されるものではなく、例えば軸状あるいは管状に形成されていてもよい。ただし、髪の毛を巻き込んでしまったり、あるいは頭部との間に髪の毛が介在すると浮き上がりやずれの防止効果が阻害されるおそれがあることから、その張り出しの長さは短く設定すべきである。
【００２０】
次に、第６の実施の形態について説明する。
第６の実施の形態が第１の実施の形態と異なるのは、回転部１９Ａの軸線がケース１２の側壁１２０４の円周の接線方向を向いている点である。
図１４（Ａ）は第６の実施の形態のヘッドホン１０Ｅを外側斜め後方から見た斜視図、（Ｂ）はヘッドホン１０Ｅを上方から見た図、（Ｃ）は（Ｂ）の矢視Ａ図である。
回転部１９Ａは、図１４（Ｂ）、（Ｃ）に示すように、軸受部１２０８を介してケース１２に連結され、円筒状に形成された側壁１２０４の円周の接線方向を向く軸線Ｙ回りに耳掛けアーム１８と一体的に回転するように構成されている。すなわち、回転部１９は、耳掛けアーム１８が耳当て部１６の直近に位置した図１４（Ｃ）に示す基準位置から耳掛けアーム１８が耳当て部１６から離間する方向（図１４（Ｂ）の矢印Ｚ方向）に所定の角度回転した最大回転位置までの範囲で回動可能に設けられている。
また、回転部１９Ａは、該回転部１９に挿入された不図示のばねにより、前記基準位置に位置するように付勢されている。
そして、耳掛けアーム１８が耳２２に掛けられた状態で、前記回転部１９Ａの不図示のばねの付勢力により耳掛けアーム１８と耳当て部１６との間で耳２２の部分を挟み込むことにより、耳当て部１６が耳孔部分に当て付けられるように構成されている。
このような第６の実施の形態のヘッドホン１０Ｄにおいても、第１の実施の形態と同様の作用効果を奏する。
【００２１】
なお、第１乃至第６の実施の形態では、耳掛けアーム１８が回転部１９、１９Ａによって軸線Ｘ回りあるいは軸線Ｙ回りに回転するように構成した例を示したが、回転部の軸線の方向は上述した例に限定されるものではなく、耳掛けアーム１８が耳２２に掛けられた状態で、耳掛けアーム１８と耳当て部１６との間で耳２２の部分を挟み込むことにより、耳当て部１６が耳孔部分に当て付けられるならば、その方向は任意である。
また、耳掛けアーム１８が回転されずケース１２に固定される構成であってもよい。すなわち、耳掛けアーム１８の一部あるいは全部が弾性変形可能な弾性部材によって形成されるとともに、耳掛けアーム１８の一端あるいは両端がケース１２の部分に固定され、耳掛けアーム１８が耳２２に掛けられた状態で、耳掛けアーム１８の弾性力により耳掛けアーム１８と耳当て部１６との間で耳２２の部分を挟み込むことにより、耳当て部１６が耳孔部分に当て付けられるように構成してもよい。
【００２２】
以上説明した第１乃至第６の実施の形態では、ヘッドホンの外部からコード１５を介して供給される音声信号に基づいてスピーカーユニット１４が動作するように構成されているが、ヘッドホンにオーディオ装置を内蔵することも可能である。
以下、ヘッドホンにオーディオ装置を内蔵した第７の実施の形態について説明する。
図１５は、ケース１２にオーディオ装置としてのラジオ受信機を収容したヘッドホンの概略構成を示すブロック図である。
図１５に示すように、第７の実施の形態のヘッドホン１０Ｆのケース１２には、スピーカーユニット１４、受信部３０、増幅部３２、操作部３４、表示部３６、制御部３８、不図示の電源部などが収容されている。
受信部３０は、ラジオ局から送信される電波を受信して音声信号を再生するものである。増幅部３２は前記音声信号を増幅してスピーカーユニット１４に供給し該スピーカーユニット１４から音声を発生させるものである。操作部３４は受信すべき前記電波の周波数を選択したり、増幅部３２の増幅率を変えたりするための操作スイッチやボリュームを有するものである。表示部３６は受信している電波の周波数やボリュームの大きさなどを表示するものである。制御部３８は、操作部３４の操作入力に従って受信部３０や増幅部３２を制御するとともに、表示部３６に表示を行なわせるものである。前記電源部は電池などで構成され、受信部３０、増幅部３２、操作部３４、表示部３６、制御部３８に電力を供給するものである。
したがって、本実施の形態では、受信部３０、増幅部３２、操作部３４、表示部３６、制御部３８、不図示の電源部によってラジオ受信機が構成されている。
このように構成されたヘッドホン１０Ｆは、スピーカーユニット１４に加えてラジオ受信機を構成する部品がケース１２に収容されるのでケース１２部分の重量が増加するため、耳２２に対するケース１２の浮き上がりが生じやすくなる。
しかしながら、上述したように耳掛けアーム１８を耳２２に掛けた状態で、弾性部材２０が頭部２４に当接して弾性変形することにより、耳掛けアーム１８を介して耳当て部１６を耳孔部分に近接させる方向に付勢するので、オーディオ装置を内蔵したヘッドホンにおいても、耳２２に対するケース１２の浮き上がりを防止でき、装着感を向上する上で有利となる。
したがって、部品点数が多く重量がかさむオーディオ装置をヘッドホンに内蔵してもヘッドホンの装着感を損ねることがないため、設計の自由度や商品性の幅を広げる上でも有利となる。
【００２３】
次に、第８の実施の形態について説明する。
第８の実施の形態が第７の実施の形態と異なるのは、オーディオ装置としてメモリに格納された音声データを再生する音声再生装置を内蔵した点である。
図１６に示すように、第８の実施の形態のヘッドホン１０Ｇのケース１２には、スピーカーユニット１４、メモリ４０、再生部４２、増幅部４４、操作部４６、表示部４８、制御部５０、不図示の電源部などが収容されている。
メモリ４０はケース１２に対して着脱可能、あるいは内蔵されているものであって、音声データを含むデータが読み書き可能に記録されている。再生部４２は、メモリ４０の音声データを読み取って音声信号を再生するものである。増幅部４４は前記音声信号を増幅してスピーカーユニット１４に供給し該スピーカーユニット１４から音声を発生させるものである。操作部４６は再生する音声データを選択したり、増幅部４４の増幅率を変えたりするための操作スイッチやボリュームを有するものである。表示部４８は再生している音声データに関連付けられている識別情報やボリュームの大きさなどを表示するものである。制御部５０は、操作部４６の操作入力に従って再生部４２や増幅部４４を制御するとともに、表示部４８に表示を行なわせるものである。前記電源部は電池などで構成され、メモリ４０、再生部４２、増幅部４４、操作部４６、表示部４８、制御部５０に電力を供給するものである。
したがって、本実施の形態では、メモリ４０、再生部４２、増幅部４４、操作部４６、表示部４８、制御部５０、不図示の電源部によって音声再生装置が構成されている。
このように構成されたヘッドホン１０Ｇにおいても第７の実施の形態と同様の効果を奏する。
【００２４】
なお、ヘッドホンに内蔵されるオーディオ装置としては、上述したラジオ受信機や音声再生装置に限定されるものではなく、スピーカーユニット１４に音声信号を供給して音声を発生させることができる種々のオーディオ装置あるいは携帯電話機の受話装置などとして用いることができる。
【００２５】
【発明の効果】
以上説明したように、本発明によれば、耳に対するケースの浮き上がりを防止し装着感を向上する上で有利なヘッドホンを提供することができる。
【図面の簡単な説明】
【図１】（Ａ）は本発明の第１の実施の形態のヘッドホンを外側斜め後方から見た斜視図、（Ｂ）はヘッドホンを内側斜め後方から見た斜視図である。
【図２】（Ａ）は耳掛けアームの回転範囲を示す図、（Ｂ）は（Ａ）の矢視Ａ図である。
【図３】左耳に装着されたヘッドホンを後方から見た図である。
【図４】図３の矢視Ａ図である。
【図５】図４の矢視Ｂ図である。
【図６】（Ａ）は第２の実施の形態のヘッドホンを外側斜め後方から見た斜視図、（Ｂ）はヘッドホンを内側斜め後方から見た斜視図である。
【図７】（Ａ）はヘッドホンを外側斜め上方から見た斜視図、（Ｂ）はヘッドホンを内側斜め前方から見た斜視図である。
【図８】（Ａ）はヘッドホンを後方から見た図、（Ｂ）は図８（Ａ）の矢視Ａ図である。
【図９】（Ａ）は図８（Ｂ）の矢視Ｂ図、（Ｂ）は図９（Ａ）の矢視Ｃ図である。
【図１０】（Ａ）はヘッドホンを前方から見た図、（Ｂ）は図１０（Ａ）の矢視Ｄ図である。
【図１１】第３の実施の形態のヘッドホンを外側斜め後方から見た斜視図である。
【図１２】第４の実施の形態のヘッドホンを外側斜め後方から見た斜視図である。
【図１３】第５の実施の形態のヘッドホンを外側斜め後方から見た斜視図である。
【図１４】（Ａ）は第６の実施の形態のヘッドホン１０Ｅを外側斜め後方から見た斜視図、（Ｂ）はヘッドホン１０Ｅを上方から見た図、（Ｃ）は（Ｂ）の矢視Ａ図である。
【図１５】第７の実施の形態のヘッドホンの概略構成を示すブロック図である。
【図１６】第８の実施の形態のヘッドホンの概略構成を示すブロック図である。
【符号の説明】
１０、１０Ａ、１０Ｂ、１０Ｃ、１０Ｄ、１０Ｅ、１０Ｆ、１０Ｇ……ヘッドホン、１２……ケース、１４……スピーカーユニット、１６……耳当て部、１８……耳掛けアーム、２０、２０Ａ、２０Ｂ、２０Ｃ……弾性部材。
【図１】
2004364210.tif 000003
【図２】
2004364210.tif 000004
【図３】
2004364210.tif 000005
【図４】
2004364210.tif 000006
【図５】
2004364210.tif 000007
【図６】
2004364210.tif 000008
【図７】
2004364210.tif 000009
【図８】
2004364210.tif 000010
【図９】
2004364210.tif 000011
【図１０】
2004364210.tif 000012
【図１１】
2004364210.tif 000013
【図１２】
2004364210.tif 000014
【図１３】
2004364210.tif 000015
【図１４】
2004364210.tif 000016
【図１５】
2004364210.tif 000017
【図１６】
2004364210.tif 000018